(57)【特許請求の範囲】
【請求項１】
情報が光学的に読み取り可能なコードで記録されている部分を備える情報記録媒体から、前記コードを光学的に読み取って前記情報を再生する情報再生システムにおいて、
前記コードを撮像してその画像信号を出力する撮像素子と、
前記撮像素子から出力された画像信号を画像データとして記憶するメモリと、
前記メモリに記憶された画像データから前記情報を再生して出力する際のデータのエラー訂正を行うデータエラー訂正手段と、
を備え、
前記撮像素子及び前記メモリの少なくとも一つは、半導体製法上における欠陥を有する素子であり、
前記データエラー訂正手段は、前記欠陥により発生する誤りも訂正するように構成されたことを特徴とする情報再生システム。
【請求項２】
情報が光学的に読み取り可能なコードで記録されている部分を備える情報記録媒体から、前記コードを光学的に読み取って前記情報を再生する情報再生システムにおいて、
前記コードを撮像してその画像信号を出力する撮像素子と、
前記撮像素子から出力された画像信号を画像データとして記憶するメモリと、
前記メモリに記憶された画像データから前記情報を再生して出力する際のデータのエラー訂正を行うデータエラー訂正手段と、
を備え、
前記撮像素子及び前記メモリの少なくとも一つは、半導体製法上における欠陥を有する素子であり、
前記撮像素子及び前記メモリは、これら各素子毎に設定された別個の選別基準に従ってそれぞれ選別されることを特徴とする情報再生システム。
【請求項３】
情報が光学的に読み取り可能なコードで記録されている部分を備える情報記録媒体から、前記コードを光学的に読み取って前記情報を再生する情報再生システムにおいて、
前記コードを撮像してその画像信号を出力する撮像素子と、
前記撮像素子から出力された画像信号を画像データとして記憶するメモリと、
前記メモリに記憶された画像データから前記情報を再生して出力する際のデータのエラー訂正を行うデータエラー訂正手段と、
を備え、
前記撮像素子及び前記メモリの少なくとも一つは、半導体製法上における欠陥を有する素子であり、
前記撮像素子及び前記メモリの何れにも前記欠陥が有るとき、前記撮像素子の欠陥が前記メモリの欠陥よりも多くなるように、前記撮像素子及び前記メモリが選別されることを特徴とする情報再生システム。
【請求項４】
前記コードは、手動での読み取りが可能な２次元コードであることを特徴とする請求項１乃至３の何れかに記載の情報再生システム。
【発明の詳細な説明】
【０００１】
【発明の属する技術分野】
本発明は、音声，音楽等のオーディオ情報、カメラ，ビデオ機器等から得られる映像情報、及びパーソナルコンピュータ，ワードプロセッサ等から得られるディジタルコードデータ、等を含めた所謂マルチメディア情報を光学的に読み取り可能な２次元コードパターンとして記録した紙等の情報記録媒体から上記コードパターンを光学的に読み取って元のマルチメディア情報を再生する情報再生システムに関する。
【０００２】
【従来の技術】
従来より、音声や音楽等を記録する媒体として、磁気テープや光ディスク等、種々のものが知られている。しかしこれらの媒体は、大量に複製を作ったとしても単価はある程度高価なものとなり、またその保管にも多大な場所を必要としていた。さらには、音声を記録した媒体を、遠隔地にいる別の者に渡す必要ができた場合には、郵送するにしても、また直に持っていくにしても、手間と時間がかかるという問題もあった。また、オーディオ情報以外の、カメラ，ビデオ機器等から得られる映像情報、及びパーソナルコンピュータ，ワードプロセッサ等の情報処理機器から得られるディジタルコードデータ、等をも含めた所謂マルチメディア情報全体に関しても同様であった。
【０００３】
このような問題に対処するべきものとして、特開平６−２３１４６６号公報には、オーディオ情報，映像情報，ディジタルコードデータの少なくとも一つを含むマルチメディア情報を、ファクシミリ伝送が可能で、また大量の複製が安価に可能な画像情報即ち符号化情報としての複数のドットを２次元に配置してなる２次元コードの形で紙等の情報記録媒体に記録するシステム及びそれを再生するためのシステムが開示されている。
【０００４】
この公報に開示された情報再生システムでは、情報記録媒体上の２次元コードを光学的に読み取る読み取り部を、手で保持し、記録されているコードに沿って記録媒体上を手動で走査することによって、コードを読み取るようになっている。
【０００５】
【発明が解決しようとする課題】
しかしながら、上記公報の情報再生システムは、基本的な構成を開示しているものの、種々の部品の実装面からの小型化、低コスト化に対するアプローチについては特に言及されていない。例えば、読み取り部は、光学系と電気系とを有し、それらの実装は、通常は、それぞれ本体に取り付けるという構成が考えられる。従って、小型化、低コスト化という点では改良の余地がある。
【０００６】
また、撮像素子やメモリ、その他の素子にも、通常の素子、つまり欠陥を含まないような素子を用いることが前提となっているので、この点でも低価格化に関しては課題があった。
【０００７】
本発明は、上記の点に鑑みてなされたもので、小型化並びに低価格化を図った情報再生システムを提供することを目的とする。
【０００８】
さらに本発明は、手動走査を行う読み取り部の主要部をユニット化し、種々の外形のシステムに共通化して使用できるようにして、部品点数の削減並びに量産効果による低価格化をさらに図ることも目的とする。
【０００９】
【課題を解決するための手段】
上記の目的を達成するために、本発明による情報再生システムは、情報が光学的に読み取り可能なコードで記録されている部分を備える情報記録媒体から、上記コードを光学的に読み取って上記情報を再生する情報再生システムであって、上記コードを撮像してその画像信号を出力する撮像素子と、上記撮像素子から出力された画像信号を画像データとして記憶するメモリと、上記メモリに記憶された画像データから上記情報を再生して出力する際のデータのエラー訂正を行うデータエラー訂正手段と、を備え、上記撮像素子及び上記メモリの少なくとも一つは、半導体製法上における欠陥を有する素子であり、上記データエラー訂正手段は、上記欠陥により発生する誤りも訂正するように構成されたことを特徴とする。
また、本発明による情報再生システムは、情報が光学的に読み取り可能なコードで記録されている部分を備える情報記録媒体から、上記コードを光学的に読み取って上記情報を再生する情報再生システムであって、上記コードを撮像してその画像信号を出力する撮像素子と、上記撮像素子から出力された画像信号を画像データとして記憶するメモリと、上記メモリに記憶された画像データから上記情報を再生して出力する際のデータのエラー訂正を行うデータエラー訂正手段と、を備え、上記撮像素子及び上記メモリの少なくとも一つは、半導体製法上における欠陥を有する素子であり、上記撮像素子及び上記メモリは、これら各素子毎に設定された別個の選別基準に従ってそれぞれ選別されることを特徴とする。
更に、本発明による情報再生システムは、情報が光学的に読み取り可能なコードで記録されている部分を備える情報記録媒体から、上記コードを光学的に読み取って上記情報を再生する情報再生システムであって、上記コードを撮像してその画像信号を出力する撮像素子と、上記撮像素子から出力された画像信号を画像データとして記憶するメモリと、上記メモリに記憶された画像データから上記情報を再生して出力する際のデータのエラー訂正を行うデータエラー訂正手段と、を備え、上記撮像素子及び上記メモリの少なくとも一つは、半導体製法上における欠陥を有する素子であり、上記撮像素子及び上記メモリの何れにも上記欠陥が有るとき、上記撮像素子の欠陥が上記メモリの欠陥よりも多くなるように、上記撮像素子及び上記メモリが選別されることを特徴とする。
【００１０】
即ち、本発明の情報再生システムによれば、コードを撮像してその画像信号を出力する撮像素子と、この撮像素子から出力された画像信号を画像データとして記憶するメモリと、上記メモリに記憶された画像データから上記情報を再生して出力する際のデータのエラー訂正を行うデータエラー訂正手段とを備えるものとし、これら撮像素子とメモリの少なくとも一つが半導体製法上における欠陥を有するものとしている。
そして、上記データエラー訂正手段が上記欠陥により発生する誤りも訂正する。  
または、上記撮像素子及び上記メモリを、これら各素子毎に設定された別個の選別基準に従ってそれぞれ選別するようにしている。  
あるいは、上記撮像素子及び上記メモリの何れにも上記欠陥が有るとき、上記撮像素子の欠陥が上記メモリの欠陥よりも多くなるように、上記撮像素子及び上記メモリを選別するようにしている。
【００１１】
従って、システムが所定の性能を維持した上で、各電気回路機能が、欠陥を含むことを可能としたので、部品コストが下がる。
【００１２】
【発明の実施の形態】
以下、図面を参照して、本発明の一実施の形態を説明する。
【００１３】
図１の（Ａ）は、本発明の一実施の形態に係る情報再生システムに用いられる読み取り部１０の構成を示す図で、操作者が手で持って不図示記録媒体上に記録された２次元コードを走査できるようなペン型の形状を持つものとなっている。
【００１４】
このペン型の筐体１２内には、例えば、撮像素子や画像メモリを含む画像処理部がハイブリッドＩＣ化された基板ユニットＳＵとして収容されている。即ち、同図の（Ｂ）に示すように、基板１４上にＣＣＤ等の撮像素子１６を含むＩＣチップ１８と、画像メモリ等を含むその他のＩＣチップ２０との合計３チップが登載されている。勿論、システムの構成に応じて、同図の（Ｃ）及び（Ｄ）に示すように、２チップ構成や１チップ構成とすることができる。
【００１５】
ここで、基板１４は、ペン型筐体１２の長手方向に沿うようにして配置され、この基板１４上にその結像面を上にして設けられた撮像素子１６に対して入射光を結像するべく当該入射光を略直角に反射する光学系２２が設けられている。即ち、ＩＣチップ１８上の撮像素子１６に走査される２次元コードの像を結像させるための光学系２２が、その撮像素子１６を含むＩＣチップ１８と一体に設けられている。この光学系２２は、例えば合成樹脂素材やガラスを図２の（Ａ）に示すように９０°曲げた形状に一体成形したものであり、その一端側には、撮像素子１６を含むＩＣチップ１８を収納するための、凹レンズ面２４が設けられた、くぼみ部２６が形成され、他端側には、非球面のレンズ面２８が形成されている。そして、９０°曲げられた屈曲部には反射面３０が設けられており、その曲率は、上記２箇所のレンズ面２４及び２８と併せて収差を補正するように決められている。
【００１６】
このように、ペン型形状において、光学系２２によって光軸をペンの軸方向からそれと直角方向へ曲げることにより、基板１４の長手方向とペンの軸方向とを一致させることが可能となり、操作者が扱い易いペン形状内に基板１４が無理なく納まるようになる。
【００１７】
なお、光学系２２のモールドの一部を取付け部として、これを撮像素子１６を含むＩＣ１８が取り付けられている基板１４に直接圧入又は嵌合することで、光学系２２が取り付けられている。
【００１８】
また、この光学系２２の非球面のレンズ面２８近傍位置には、リング状の照明系３２が圧入又は嵌合されている。これは、所定の間隔をあけてＬＥＤ等の照明光源３４を円上に配置したものである。
【００１９】
なお、上記撮像素子１６上に一体に設けられた光学系２２の当該取付け基板１４からの高さによって、当該ペン型筐体１２の太さ（上記基板１２に対する高さ）が略決定されることになる。即ち、光学系２２の高さによって略一義的に筐体１２の太さを決定できるので、筐体１２の機械的設計が楽になると共に、筐体１２が小形又は小径の外装であっても、容易に取り付けられるようになる。
【００２０】
このようにユニット化することで、小型化が可能になり、また、光学調整が不要となる。
【００２１】
つまり、一般に光（磁気）ディスク等の光学系では、検出信号の質（フォーカス信号の感度、リード信号のＳ／Ｎ、振幅等）を確保するために複数の光学素子を精密に調整する必要がある。例えば、フォーカス位置の調整、検出ディテクタ上の検出光位置の調整に光学／検出素子の調整が必要である。これに対して、２次元コードでは、撮像素子１６つまりエリアセンサでの検出であるので、撮像素子１６上に投影される像位置に関しては、ディスク装置ほど精度は要求されない。また、像の歪みに関しても、映像化後の検出アルゴリズムが歪みの影響を排除するように工夫されていれば、高い光学精度は要求されない。
【００２２】
従って、本一実施の形態では光学系の実装に関して上記のような、高密度化、低価格化が図り易い背景がある。
【００２３】
さらに、ペン型筐体１２に限らず、種々の外形の筐体、例えば図２の（Ｂ）に示すような一般的なＴ字型のハンドヘルドスキャナ筐体に、このユニットを応用することで、コストを下げることが可能になる。
【００２４】
また、図３の（Ａ）に示すようなポインティングデバイスとして良く知られたマウスに組み込むこともできる。即ち、同図の（Ｂ）に示すように、通常マウスが持っているボール３６やエンコーダ３８等でなる座標発生部４０の機能を保持したまま、読み取り部１０を付加することにより、一つの筐体で両方の機能を兼ねることができるようになる。但しこの場合は、光学系２２は、さらにもう一度９０°曲げた形状に形成することが必要となる。
【００２５】
以上のような画像処理部を収納した読み取り部１０で読み取られた２次元コードは、復調等の詳細は後述するようなデータ処理が施されて再生出力される。
【００２６】
例えば、図４の（Ａ）に示すように、ケーブル４２を介して読み取り部１０に接続されたインタフェース（ＩＦ）ボードやＩＦカード（例えば、ＰＣＭＣＩＡ規格のカード）４４に復調等のデータ処理部を構成し、これをパーソナルコンピュータ（或いはワードプロセッサ，ＰＤＡ，ノートパソコン，テレビジョン，等）４６の拡張スロット４８に装着し、このパーソナルコンピュータ４６のディスプレイ上に画像を表示出力したり、パーソナルコンピュータ４６に接続されたプリンタ５０から印字出力したり、あるいは音声をパーソナルコンピュータ４６に接続されたスピーカ５２から出力したりする。なお、この場合、読み取り部１０とＩＦボードやＩＦカード４４とをケーブル４２で接続するのではなく、同図の（Ｂ）に示すように、赤外光や電波等によりワイヤレス送信するようにしても良い。
【００２７】
また、図５の（Ａ）に示すように、パーソナルコンピュータ４６に内蔵のＩＦにケーブル４２で接続して、パーソナルコンピュータ４６でソフトウェア的にデータ処理を行うようにしても良い。この場合も、同図の（Ｂ）に示すように、赤外光や電波等によりワイヤレス送信するようにしても良いことは勿論である。
【００２８】
あるいは、図６の（Ａ）に示すように、読み取り部１０にケーブル４２Ａで接続された独立した処理部５４にてデータ処理を行うようにし、この処理部５２をパーソナルコンピュータ４６に内蔵のＩＦにケーブル４２Ｂで接続するようにしても良い。この場合も、同図の（Ｂ）に示すように、赤外光や電波等により読み取り部１０から処理部５２にワイヤレス送信するようにしても良いことは勿論である。
【００２９】
また、パーソナルコンピュータ４６の代わりに、図７の（Ａ）に示すように、ＣＰＵ内蔵のゲーム機器５６を利用して、テレビジョン受像機５８に画像及び音声を再生出力することも可能である。
【００３０】
また、画像を含まない音声情報だけが２次元コード化されている場合には、データ処理部の構成も簡略化されるため、図７の（Ｂ）に示すように、読み取り部と処理部とを一つの筐体内に収容してなる読み取り・処理部６０として構成し、これにケーブル４２を介してヘッドホン６２を接続することで音声を再生出力できる構成とすることが可能である。勿論、同図の（Ｃ）に示すように、読み取り部１０と処理部５４を分けて構成し、それらを送信ケーブル４２Ａで、又は赤外光や電波等によるワイヤレスで接続するようにしても良い。
【００３１】
あるいは、図８の（Ａ）に示すように、読み取り・処理部６０に小電力の送信機を内蔵し、再生した音声を送信するようにし、これをラジオ付カセットテープレコーダやラジオ６６で受信してヘッドホン６２から出力するというようなラジオの空チャンネルを利用した構成とすることもできる。また、同図の（Ｂ）に示すように、処理部としてポケットに入れられるようなサイズの小型処理部５４’を用い、そこから赤外光や電波等によってワイヤレス送信された音声を、小型受信ユニット６８で受けて、それに接続されたヘッドホン６２から出力するというような構成や、図９の（Ａ）に示すように、読み取り・処理部６０をケーブル４２を介してＣＤやＭＤ、カセットテープ等の音楽情報媒体から音楽情報を再生する音楽情報再生機器７０の外部入力端子７２に接続するものとしても良い。
【００３２】
さらには、図１０の（Ａ）に示すように、ペン型筐体１２に読み取り及び処理機能を入れ、この読み取り・処理部６０からワイヤレスで小型受信ユニット６８に転送する構成とすることもできる。この場合、読み取り及び処理部６０では、アナログ音声まで復調して電波等で出力する、又はディジタルで出力して小型受信ユニット６８側でＤ／Ａ変換するものとしても良い。また、同図の（Ｂ）に示すように、ペン型筐体１２に読み取り及び処理機能を入れ、アナログ音声信号まで復調して電波でワイヤレス転送し、受信側の受信アダプタ７４は、受信した信号をカセットテープ再生器６６’の再生ヘッドに磁気カップリングで出力する構成にすることもできる。即ち、カセットテープ再生器６６’の再生系を使って再生することもできる。
【００３３】
次に、上記のような読み取り部１０や処理部５４などの構成を、図１１を参照して説明する。この図は、特開平６−２３１４６６号公報に図１７として示された情報再生システムのブロック構成図である。
【００３４】
即ち、この情報再生システムは、２次元コードであるドットコード１７０が印刷されているシート１８２からドットコードを読み取るための検出部１８４、検出部１８４から供給される画像データをドットコードとして認識しノーマライズを行う走査変換部１８６、多値データを二値にする二値化処理部１８８、復調部１９０、データ列を調整する調整部１９２、再生時の読み取りエラー，データエラーを訂正するデータエラー訂正部１９４、データをそれぞれの属性に合わせて分離するデータ分離部１９６、それぞれの属性に応じたデータ圧縮処理に対する伸長処理部、表示部あるいは再生部、あるいは他の入力機器から成る。
【００３５】
検出部１８４に於いては、上記照明光源３４に相当する光源１９８にてシート１８２上のドットコード１７０を照明し、反射光を上記光学系２２に相当するレンズ等の結像光学系２００及びモアレ等の除去等のための空間フィルタ２０２を介して、上記撮像素子１６に相当する光の情報を電気信号に変換する例えばＣＣＤ，ＣＭＤ等の撮像部２０４で画像信号として検出し、プリアンプ２０６にて増幅して出力する。これらの光源１９８，結像光学系２００，空間フィルタ２０２，撮像部２０４，及びプリアンプ２０６は、外光に対する外乱を防ぐための外光遮光部２０８内に構成される。そして、上記プリアンプ２０６で増幅された画像信号は、Ａ／Ｄ変換部２１０にてディジタル情報に変換されて、次段の走査変換部１８６に供給される。
【００３６】
なお、上記撮像部２０４は、撮像部制御部２１２により制御される。例えば、撮像部２０４としてインターライン転送方式のＣＣＤを使用する場合には、撮像部制御部２１２は、撮像部２０４の制御信号として、垂直同期のためのＶブランク信号、情報電荷をリセットするための撮像素子リセットパルス信号、二次元に配列された電荷転送蓄積部に蓄積された電荷を複数の垂直シフトレジスタへ送るための電荷転送ゲートパルス信号、水平方向に電荷を転送し外部に出力する水平シフトレジスタの転送クロック信号である水平電荷転送ＣＬＫ信号、上記複数の垂直シフトレジスタ電荷を垂直方向に転送して上記水平シフトレジスタに送るための垂直電荷転送パルス信号、等を出力する。
【００３７】
そして、撮像部制御部２１２は、このタイミングに合せながら光源１９８の発光のタイミングをとるための発光セルコントロールパルスを光源に与える。
【００３８】
走査変換部１８６は、検出部１８４から供給される画像データをドットコードとして認識し、ノーマライズを行う部分である。その手法として、まず検出部１８４からの画像データを画像メモリ２１４に格納し、そこから一度読出してマーカ検出部２１６に送る。このマーカ検出部２１６では、各ブロック毎のマーカを検出する。そして、データ配列方向検出部２１８は、そのマーカを使って、回転あるいは傾き、データの配列方向を検出する。アドレス制御部２２０は、その結果をもとに上記画像メモリ２１４からそれを補正するように画像データを読出して補間回路２２２に供給する。なおこの時に、検出部１８４の結像光学系２００に於けるレンズの収差の歪みを補正用のメモリ２２４からレンズ収差情報を読出して、レンズの補正も併せ行う。そして、補間回路２２２は、画像データに補間処理を施して、本来のドットコードのパターンという形に変換していく。
【００３９】
補間回路２２２の出力は、二値化処理部１８８に与えられる。基本的には、ドットコード１７０は、白と黒のパターン、即ち二値情報であるので、この二値化処理部１８８で二値化する。その時に、閾値判定回路２２６により、外乱の影響、信号振幅等の影響を考慮した閾値の判定を行いながら適応的に二値化が行われる。
【００４０】
そして、記録時に行われた変調に対応する復調処理を復調部１９０で行った後、データ列調整部１９２にデータが入力される。
【００４１】
このデータ列調整部１９２では、まずブロックアドレス検出部２２８により２次元ブロックのブロックアドレスを検出し、その後、ブロックアドレスの誤り検出，訂正部２３０によりブロックアドレスのエラー検出及び訂正を行った後、アドレス制御部２３２に於いてそのブロック単位でデータをデータメモリ部２３４に格納していく。このようにブロックアドレスの単位で格納することで、途中抜けた場合、あるいは途中から入った場合でも、無駄なくデータを格納していくことができる。
【００４２】
その後、データメモリ部２３４から読出されたデータに対してデータエラー訂正部１９４にてエラーの訂正が行われる。このエラー訂正部１９４の出力は二つに分岐されて、一方はＩ／Ｆ２３６を介して、ディジタルデータのままパソコンやワープロ，電子手帳，等に送られていく。他方は、データ分離部１９６に供給され、そこで、画像、手書き文字やグラフ、文字や線画、音（そのままの音の場合と音声合成をされたものとの２種類）に分けられる。
【００４３】
画像は、自然画像に相当するもので、多値画像である。これは、伸長処理部２３８により、圧縮した時のＪＰＥＧに対応した伸長処理が施され、さらにデータ補間回路２４０にてエラー訂正不能なデータの補間が行われる。
【００４４】
また、手書き文字やグラフ等の二値画像情報については、伸長処理部２４２にて、圧縮で行われたＭＲ／ＭＨ／ＭＭＲ等に対する伸長処理が行われ、さらにデータ補間回路２４４にてエラー訂正不能なデータの補間が行われる。
【００４５】
文字や線画については、ＰＤＬ（ページ記述言語）処理部２４６を介して表示用の別のパターンに変換される。なおこの場合、線画，文字についても、コード化された後にコード用の圧縮処理が施されているものについては、それに対応する伸長処理部２４８で伸長（ハフマンやジブレンペル等）処理を行ってから、ＰＤＬ処理部２４６に供給されるようになっている。
【００４６】
上記データ補間回路２４０，２４４及びＰＤＬ処理部２４６の出力は、合成又は切り換え回路２５０により、合成あるいはセレクトを行って、Ｄ／Ａ変換部２５２でアナログ信号に変換後、ＣＲＴ（テレビモニタ）やＦＭＤ（フェイスマウンテッドディスプレイ）等の表示装置２５４にて表示される。なお、上記ＦＭＤとは、顔面装着用の眼鏡型モニタ（ハンデーモニタ）であり、例えばバーチャルリアリティー等の用途や、小さな場所で大きな画面で構成されたものを見るときに効果がある。
【００４７】
また、音声情報については、伸長処理部２５６にてＡＤＰＣＭに対する伸長処理が行われ、さらにデータ補間回路２５８にてエラー訂正不能なデータの補間が行われる。
【００４８】
あるいは、音声合成の場合には、音声合成部２６０にて、その音声合成のコードをもらって実際にコードから音声を合成して出力する。なおこの場合、コードそのものが圧縮されている時には、上記文字，線画と同様に、伸長処理部２６２にてハフマンもしくはジブレンペル等の伸長処理を行ってから音声合成を行う。
【００４９】
さらに、文字情報については文章認識部２７１で文章認識した後、音声合成部２６０にて音声情報として出力しても良い。
【００５０】
また、伸長処理部２６２は、同２４８と兼用することは可能であり、その場合、伸長処理するデータの属性に応じてそのデータはスイッチＳＷ１，ＳＷ２，ＳＷ３にて適宜切り換えられて、ＰＤＬ処理部２４６、或は音声合成部２６０に入力される。
【００５１】
データ補間回路２５８及び音声合成部２６０の出力は、合成又は切り換え回路２６４により、合成あるいはセレクトを行って、Ｄ／Ａ変換部２６６でアナログ信号に変換後、スピーカ５２やヘッドホン６２、その他それに準ずる音声出力装置２６８に出力される。
【００５２】
また、文字や線画等については、データ分離部１９６からページプリンタやプロッタ等２７０に直接出力されて、文字等はワープロ文字として紙に印刷され、あるいは、線画等は図面等としてプロッタ出力されることもできる。
【００５３】
勿論、画像についても、ＣＲＴやＦＭＤだけではなく、ビデオプリンタ等でプリントすることも可能であるし、その画像を写真に撮ることも可能である。
【００５４】
また、画像メモリ２１４とデータメモリ部２３４は独立してシリーズに構成されているが、バス構成にしても良いし、一つのメモリとして共用しても良いことは勿論である。
【００５５】
このような構成の情報再生システムにおいて、図１に関して前述したようなペン型の筐体１２内に、撮像素子や画像メモリをハイブリッドＩＣ化した基板ユニットＳＵとして収容する場合、読み取り部１０内の撮像素子１６を有するＩＣチップ１８として（１チップ構成の場合）、あるいはそれ以外のＩＣチップ２０として（２チップ以上の構成の場合）、ＩＣチップには、例えば、上記検出部１８４におけるプリアンプ２０６，Ａ／Ｄ変換部２１０，及び撮像部制御部２１２と、走査変換部１８６、二値化処理部１８８、及び閾値判定回路２２６を含めることができる。つまり、二値化までをＩＣ化することができる。
【００５６】
あるいは、ＩＣチップとして、データエラー訂正部１９４までを含めても良い。即ち、上記検出部１８４におけるプリアンプ２０６，Ａ／Ｄ変換部２１０，及び撮像部制御部２１２と、走査変換部１８６、二値化処理部１８８、及び閾値判定回路２２６に加えて、復調部１９０、データ列調整部１９２、及びデータエラー訂正部１９４をＩＣ化する。
【００５７】
また、ＩＣチップには、ある特定のインタフェースの形式でデータを出力する部分までを含めることができる。この場合には、上記データエラー訂正部１９４までの構成に加えて、例えばＭＩＤＩ（Ｍｕｓｉｃａｌ  Ｉｎｓｔｒｕｍｅｎｔ  Ｄｉｇｉｔａｌ  Ｉｎｔｅｒｆａｃｅ）データ出力用のＩ／Ｆ２３６をＩＣ化する。
【００５８】
あるいは、ＩＣチップには、上記データエラー訂正部１９４に加えて、音声や映像の出力部までを含めることもできる。即ち、上記検出部１８４におけるプリアンプ２０６，Ａ／Ｄ変換部２１０，及び撮像部制御部２１２と、走査変換部１８６、二値化処理部１８８、閾値判定回路２２６、復調部１９０、データ列調整部１９２、データエラー訂正部１９４、データ分離部１９６、伸長処理部２３８、データ補間回路２４０、伸長処理部２４２、データ補間回路２４４、ＰＤＬ処理部２４６、伸長処理部２４８、合成又は切り換え回路２５０、Ｄ／Ａ変換部２５２、伸長処理部２５６、データ補間回路２５８、音声合成部２６０、伸長処理部２６２、文章認識部２７１、スイッチＳＷ１，ＳＷ２，ＳＷ３、合成又は切り換え回路２６４、及びＤ／Ａ変換部２６６をＩＣ化する。
【００５９】
ところで、従来は、撮像素子やメモリ、その他の素子にも、通常の素子つまり欠陥を含まないような素子を用いることが前提となっているので、低価格化に関して問題があった。即ち、欠陥部は、事前チェックしてロットから抜き取る、あるいは欠陥部のアドレスを予め記録しておき、そのアドレスを使用しないようにしていた。撮像素子では、欠陥の多さ、集まり具合により、選別して不良品として捨てていたのが実状である。
【００６０】
しかし、本一実施の形態では、欠陥部に投影又は記録されたデータは、データエラー訂正部１９４によりエラー検出／訂正処理によって正しいデータに再構成できるので、また、バースト状の欠陥は、データがインターリーブされているため、データ列調整部１９２におけるデ・インターリーブ処理で分散されて、ランダムエラーとなるので、撮像素子１６（撮像部２０４）、画像メモリ２１４、データメモリ部２３４、等に欠陥のある素子を使うことができる。従って、欠陥のある素子を使うことで、ローコスト化が図れ、また、エラー検出／訂正処理で処理するので、素子や装置毎に欠陥検出して、そこを避ける等の煩わしさをなくすことができるようになる。
【００６１】
また、撮像素子やメモリ以外にも、データエラー訂正部１９４よりも前の部分に関しては、単純なロジックエラーも、それが大きいものでなければ許すことができる。
【００６２】
一方、図１に関して前述したようなペン型の筐体１２内に、撮像素子や画像メモリをハイブリッドＩＣ化した基板ユニットＳＵとして収容する場合、回路系をグループに分けて、それぞれ別々にＩＣ化して、そのＩＣを選別するときに、別の選択基準でＩＣを選別することができる。即ち、ある部分はエラー（欠陥）はかなりあっても良いが、ある部分は少ししか許容できず、ある部分について全くエラーがあってはいけない、というように、あるＩＣを選別する選別基準と、別の部分に相当するＩＣを選別する基準と、さらに異なる部分に相当するＩＣを選別する基準とを、それぞれ別個の基準にすることで、欠陥の許容率の大きい部分については、ＩＣ製造の精度を落とすことが可能になり、歩留まりが向上し、安価に大量生産できるようになる。
【００６３】
ここで、例えば、グループ分けとしては、次のようなものが考えられる。即ち、第１の回路部（撮像素子を有するＩＣチップ１８）として、撮像部２０４、Ａ／Ｄ変換部２１０、撮像部制御部２１２、画像メモリ２１４、補間回路２２２、二値化処理部１８８、閾値判定回路２２６、復調部１９０、及びデータメモリ部２３４をＩＣ化し、第２の回路部（ＩＣチップ２０）として、マーカ検出部２１６、データ配列方向検出部２１８、アドレス制御部２２０、レンズ収差歪み補正用メモリ２２４、ブロックアドレス検出部２２８、ブロックアドレスの誤り検出，訂正部２３０、及びアドレス制御部２３２をＩＣ化し、第３の回路部（ＩＣチップ２０）として、データ列調整部１９２をＩＣチップ化する。この場合、ＩＣ製造装置の欠陥発生の分布を測定し、欠陥発生率の高い領域に上記第１の回路部を、欠陥発生率の低い領域に信頼性・精度を要する第２の回路部を構成する。そして、第３の回路部を構成できる無欠陥の領域が確保できる場合は、この第３の回路部も第２の回路部に一体化する。
【００６４】
あるいは、撮像部２０４と画像メモリ２１４を別の回路部として構成しても良い。
【００６５】
ここで、このような場合におけるエラー配分の例を具体的に説明しておく。
【００６６】
まず、撮像素子１６にのみ欠陥がある場合には、下記のような条件を設定する（図９の（Ｂ）参照）。なお、ここでのブロックとは、既出の特開平６−２３１４６６号公報に記載されてある２次元に配列されたデータドットパターンとマーカとを含むブロックを指すものとする。ただし、エラーレートの計算は、ユーザデータに対して概略的に行っている。
【００６７】
撮像素子        ５００×３００（＝１５万）画素
ブロック構成    ８０×４８ドット
撮像範囲        ４（＝２×２）ブロック／画面
媒体の欠陥率    １０−４ビット
このような条件とした場合、１ドットに対して撮像素子１６の画素は、
横  ５００／（８０×２）＝３
縦  ３００／（４８×２）＝３
となり、ドットに対して撮像素子１６の９個の画素（セル）が対応するので、３×３画素の範囲に１個しか欠陥がないならば（ランダムな欠陥であるならば）、問題はないことになる。
【００６８】
一方、連続する欠陥の場合、例えば２×２画素の欠陥があれば、ドットの検出は困難になる。
【００６９】
一般に（バイト）エラーレートが１０−１２程度であれば、データ記録再生として問題ないとされている。いま、データエラー訂正部１９４でのエラー検出／訂正処理において、１０−２を１０−１２に訂正できる能力があるとすると、ドット検出でのビットエラーレートが１０−３程度あれば良いことになる。
【００７０】
１画面中のデータ量は、
８０×４８×４＝１５３６０（ビット）
なので、
１５３６０×１０−３＝１５
一方、媒体自体の欠陥が、
１５３６０×１０−４＝１．５
あるので、つまり１５万画素中に２×２画素の欠陥が、
１５−１．５＝１３（箇所）
あっても良いことになる。この場合、欠陥率は、
１３×４／１５００００＝３．５×１０−４
である。
【００７１】
次に、撮像素子１６と画像メモリ２１４との両方に欠陥がある場合について説明する。
【００７２】
上記より撮像素子１６からデータエラー訂正部１９４前までに許されるエラーは１３ビットである。
【００７３】
仮に、撮像素子１６でのエラーが１０箇所とする（欠陥率は、１０×４／１５００００＝２．７×１０−４）。
【００７４】
これにより、１０ビットのエラーが発生しているので、画像メモリ２１４には３ビット割り当てられ、
３ビット／１５３６０ビット＝１．９×１０−４
となる。即ち、
撮像素子：  ２．７×１０−４
メモリ  ：  １．９×１０−４
画像メモリ２１４は、デ・インターリーブ前のデータなので、隣接した欠陥があっても。デ・インターリーブで分散するので、影響は小さい。また、ばらついた欠陥が、インターリーブの規則に一致する確率も低いので、いずれにしてもバーストエラーとなる確率は低い。
【００７５】
なお、例えば一般的な光（磁気）ディスク等の再生では、センサ（サーボ用のセル、データリード用のセル）とトラック／データの関係は固定なので、どこかに欠陥があると読み取りできなくなるが、これに対して本一実施の形態の適用される２次元コードは、エリアセンサ（読み取り部）を手で走査する形なので、情報記録媒体上のドットと読み取りセルとの関係が固定されない。つまり、欠陥がドット上に乗って読み取れなくても、再度読み取ることで、その欠陥がドットと重ならないことが期待できる。即ち、リトライで救える確率が高い。従って、撮像素子１６又は画像メモリ２１４の欠陥が、上記例の限界値であっても、このリトライで救える可能性はあるので、余裕度がまだあることになる。
【００７６】
また、上記撮像素子１６と画像メモリ２１４との間でのエラーの振り分けは、一般的には、メモリの方が撮像素子より歩留まりが良い（欠陥が少ない）ので、撮像素子側に多くの欠陥を振り分けるようにしている。勿論、個々の素子の構造の関係から、歩留まりに対して種々の状況が生じる可能性があるが、その場合、歩留まりの悪い方に多くの欠陥を許すように適宜許容欠陥数を振り分ければ良い。
【００７７】
なお、上記エラー配分について、一般的に情報記録再生の場合１０−１２のエラーレートが必要と説明したが、これは、コンピュータの補助記憶等の装置の場合であって、データの読み取りが頻繁で扱うデータ量が多い場合の基準である。装置が使用期間内で読み取るデータ量が少ない場合は、必ずしもこの１０−１２レベルのエラー率でなくても良く、更に低いエラー率でも十分実用になる。例えば、読み取るファイルが１０ＫＢ程度で、装置使用期間（装置寿命内）で読取回数が１０４＝１００００回程度であれば、エラーレート＝１０−９（＝１／１０００００＊１０＊１０３）以下であればエラーは発生しない。本一実施の形態の情報再生システムを、２次元コードを絵本に記録し、その絵に対する音声を再生するというような用途に使用する場合を考えると、１０−９程度のエラーレートが保証されれば十分である。従って、より多くの欠陥を許すことができ、更にコストを下げることができる。
【００７８】
なお、ＩＣ化のもとになっている回路構成は、前述の一実施の形態に限定されるものではなく、例えば、図１２に示すように、操作変換部とデータ復調部及び二値化機能を、画像メモリ，ＣＰＵ（ＤＳＰ，ＲＩＳＣチップ）で構成して、ソフトウェアで処理することにより簡略化したものをＩＣ化することもできる。また、ＤＳＰの処理の一部をＩＣ化して速度を上げることもできる。
【００７９】
以上、一実施の形態に基づいて本発明を説明したが、本発明は上述した一実施の形態に限定されるものではなく、本発明の要旨の範囲内で種々の変形や応用が可能である。
【００８０】
ここで、本発明の要旨をまとめると以下のようになる。
【００８１】
（１）  オーディオ情報、映像情報、ディジタルコードデータの少なくとも一つを含むマルチメディア情報が光学的に読み取り可能なコードで記録されている部分を備える情報記録媒体から光学的に前記コードを読み取る読取手段と、この読取手段により読み取られたコードを処理して元のマルチメディア情報に復元する処理手段と、この処理手段からの出力信号に基づき各情報を再生して出力する出力手段とからなる情報再生システムにおいて、
前記読取手段が、前記コードを光学的に撮像して画像信号を出力する撮像素子と、この撮像素子に光学的に前記コードを入力させる光学手段とを備え、前記撮像素子と光学手段とを一体に設けたことを特徴とする情報再生システム。
【００８２】
即ち、光学素子と撮像素子が一体化されて、単一部品となる。
【００８３】
従って、一体化することで、全体で小型化が実現され、取付けの部品点数が減り、コスト、調整費用が削減できる。また、種々の外形のシステムに共通化して使用できる。
【００８４】
（２）  前記光学手段を一体に設けた前記撮像素子と前記処理手段とを共通の基板上に設けたことを特徴とする前記（１）に記載の情報再生システム。
【００８５】
即ち、光学素子、撮像素子、及び処理手段が同一基板上に一体化されて実装されるので、主要機能が一つの部品（基板ユニット）で実現される。
【００８６】
従って、一体化することで、小型化が実現され、取付けの部品点数が減り、コスト、調整費用が削減できる。また、ユニットで調整／検査ができ、本体に組み付けてから不具合が分かるといった無駄がない。さらには、主要部分がユニット化されるので、共通部品として使える。
【００８７】
（３）  前記撮像素子上に一体に設けられた前記光学手段が、少なくとも非球面レンズと収差補正ミラー部とを有する一体成形レンズであることを特徴とする前記（２）に記載の情報再生システム。
【００８８】
即ち、光学素子が非球面、収差補正反射面を含んで一体成形され、高性能な光学機能が単一部品化される。
【００８９】
従って、非球面、収差補正反射面を用いるので、複数レンズと反射部品の構成に相当する光学機能が単一部品化される。これにより、調整誤差の排除や取付けの部品数削減が可能になり、光学性能の向上、コスト及び調整費用の削減ができる。また、光学系が単体で検査ができ、組み上げてから不具合が分かるといった無駄がない。
【００９０】
（４）  前記処理手段は、前記撮像素子から出力される画像信号を記憶するメモリと、前記画像信号から前記マルチメディア情報を復元する処理を行う集積回路とを備え、
前記撮像素子、メモリ、及び集積回路がいずれも、半導体製法により作成された半導体素子であり、前記各素子の少なくとも一つの素子が半導体製法上における欠陥を有する素子であることを特徴とする前記（２）に記載の情報再生システム。
【００９１】
即ち、各電気回路が、欠陥を含むことを可能としてＩＣ化されて光学素子と一体化される。
【００９２】
従って、処理回路をＩＣ化することで、小型化、低コスト化、高信頼性化が可能になる。また、欠陥部品を許すことで、部品レベルでの歩留まりが上がり、部品のコストを大幅に下げられる。
【００９３】
（５）  前記欠陥を有する前記撮像素子、メモリ、及び集積回路は、それぞれの半導体製法における歩留まりに応じた欠陥率を有するものであり、各素子毎に許容できる所定の欠陥率を設定し、この設定された所定の欠陥率に応じて選択された素子をそれぞれ用いることを特徴とする前記（４）に記載の情報再生システム。
【００９４】
即ち、各素子部品毎に部品選別基準が設定される。
【００９５】
従って、部品毎に、許容できる欠陥の種類、数を設定するので、選別が無駄なく行われ、歩留まりが上がる。部品のコストをさらに下げられる。
【００９６】
（６）  前記所定の欠陥率が、集積回路、メモリ、撮像素子の順に大きくなるように選択されると共に、前記欠陥により発生する誤りを訂正する欠陥誤り訂正手段をさらに設けたことを特徴とする前記（５）に記載の情報再生システム。
【００９７】
即ち、撮像素子、メモリ、回路の順に判定基準をきびしくする。さらに、その後に誤り訂正手段を設ける。
【００９８】
従って、一現実的な歩留まり状況に対応するので、歩留まりが上がる。また、部品のコストをさらに下げられる。さらには、誤り訂正を入れることで、それまでの欠陥の影響を排除できる。
【００９９】
（７）  前記光学手段がさらに、照明手段を一体にして備えたことを特徴とする前記（２）に記載の情報再生システム。
【０１００】
即ち、光学系、撮像系、処理系、照明手段が同一基板上に一体化される。
【０１０１】
従って、照明手段を含めて一体化することで、小型化が実現され、取付けの部品点数が減り、コスト及び調整費用が削減できる。また、照明条件を含めてユニットで調整／検査ができ、本体に組み付けてから不具合が分かるといった無駄がない。さらには、主要部がユニット化されるので、共通部品として使用できるようになる。
【０１０２】
（８）  前記読取手段の外形形状が、マウス型もしくはハンドヘルドスキャナ型のいずれかの形状であることを特徴とする前記（２）に記載の情報再生システム。
【０１０３】
即ち、外形形状及び寸法が、現在一般的な手動操作可能装置と同等になる。
【０１０４】
従って、手動操作可能な外形寸法にすることにより、一体化したことが生かせる。また、一般的な形状にしたことで、違和感がなく操作することができるようになる。
【０１０５】
（９）  前記読取手段が、座標を発生する座標発生手段を一体にして備えたことを特徴とする前記（２）に記載の情報再生システム。
【０１０６】
即ち、マウス等のポインティングデバイスの機能と、コード読取機能の両方が単一の装置で提供される。
【０１０７】
従って、マルチメディア情報の再生に当たって、座標発生装置でＣＲＴを媒介してユーザインタフェースがとれれば柔軟なシステムができる。操作部が同一であれば、持ち換えがなく操作が簡単になる。
【０１０８】
（１０）  前記読取手段がペン型形状をなし、この読取手段の長手方向に沿うようにして前記基板を配置し、
前記光学手段は、前記基板上にその結像面を上にして設けられた撮像素子に対して入射光を結像するべく当該入射光を略直角に反射する手段を有することを特徴とする前記（２）に記載の情報再生システム。
【０１０９】
即ち、ペン型形状で光軸をペンの軸方向から、それと直角方向へ曲げる。基板の長手方向とペンの軸方向が一致する。
【０１１０】
従って、基板が扱い易いペン形状に無理なく収まる。
【０１１１】
（１１）  前記撮像素子上に一体に設けられた前記光学手段が、前記撮像素子側に凹状のレンズ面を有する一体成形レンズであることを特徴とする前記（２）に記載の情報再生システム。
【０１１２】
即ち、取付け部の形状がシンプルになり、光学的問題（フレア、位置精度）が生じ難くなる。
【０１１３】
（１２）  前記一体成形レンズのモールドの一部を取付け部として、これを前記撮像素子が取り付けられている基板に直接圧入又は嵌合することを特徴とする前記（１１）に記載の情報再生システム。
【０１１４】
即ち、装着による不具合、時間、飛び、分解広がり等の不具合がなくなり、組立精度を向上できる。
【０１１５】
（１３）  前記撮像素子上に一体に設けられた前記光学手段の対物面側にリング状の照明用ユニットが圧入又は嵌合されていることを特徴とする前記（２）に記載の情報再生システム。
【０１１６】
即ち、読取手段が小形又は小径の外装であっても、容易に照明を取り付けられるようになる。
【０１１７】
（１４）  前記撮像素子上に一体に設けられた前記光学手段の当該取付け基板からの高さが、前記読取手段内の前記基板に対する高さを略決定することを特徴とする前記（２）に記載の情報再生システム。
【０１１８】
即ち、光学系の高さによって略一義的に読取手段の高さを決定できるので、読取手段の機械的設計が楽になると共に、読取手段が小形又は小径の外装であっても、容易に取り付けられるようになる。
【０１１９】
（１５）  前記撮像素子上に一体に設けられた前記光学手段は、前記撮像素子の前記基板に対する取付け面に設けられた読取用開口部からの入射光を少なくとも１回反射させて前記撮像素子に結像させることを特徴とする前記（２）に記載の情報再生システム。
【０１２０】
即ち、組立及びメンテナンスを一側（例えば上側）からのみの作業により容易に行うことができるようになる。また、光学系の高さが低くなり、読取手段の外形形状としてマウス形状などを採用できるようになる。
【０１２１】
（１６）  オーディオ情報、映像情報、ディジタルコードデータの少なくとも一つを含むマルチメディア情報が光学的に読み取り可能なコードで記録されている部分を備える情報記録媒体から光学的に前記コードを読み取る読取手段と、この読取手段により読み取られたコードを処理して元のマルチメディア情報に復元する処理手段と、この処理手段からの出力信号に基づき各情報を再生して出力する出力手段とからなる情報再生システムにおいて、
前記読取手段が、前記コードを光学的に撮像して画像信号を出力する撮像素子と、この撮像素子に光学的に前記コードを入力させる光学手段とを備え、
前記処理手段が、前記撮像素子から出力される画像信号を記憶するメモリと、前記画像信号から前記マルチメディア情報を復元する処理を行う集積回路とを備え、
前記撮像素子、メモリ、及び集積回路がいずれも、半導体製法により作成された半導体素子であり、前記各素子の少なくとも一つの素子が半導体製法上における欠陥を有する素子であることを特徴とする情報再生システム。
【０１２２】
即ち、各電気回路機能が、欠陥を含むことを可能とする。
【０１２３】
従って、部品コストが下がる。
【０１２４】
（１７）  前記欠陥を有する前記撮像素子、メモリ、集積回路は、それぞれの半導体製法上における歩留まりに応じた欠陥率を有するものであり、各素子毎に許容できる所定の欠陥率を設定し、この設定された所定の欠陥率に応じて選択された素子をそれぞれ用いることを特徴とする前記（１６）に記載の情報再生システム。
【０１２５】
即ち、各素子部品毎に部品選別基準が設定される。
【０１２６】
従って、部品毎に、許容できる欠陥の種類、数を設定するので、選別が無駄なく行われ、歩留まりが上がる。また、部品のコストをさらに下げられる。
【０１２７】
（１８）  前記所定の欠陥率が集積回路、メモリ、撮像素子の順に大きくなるように選択されることを特徴とする前記（１７）に記載の情報再生システム。
【０１２８】
即ち、撮像素子、メモリ、回路の順に判定基準をきびしくする。
【０１２９】
従って、一現実的な歩留まり状況に対応するので、歩留まりが上がる。また、部品のコストをさらに下げられる。さらには、誤り訂正を入れることで、それまでの欠陥の影響を排除できる。
【０１３０】
（１９）  前記各素子が有する欠陥により発生する誤りを訂正する欠陥誤り訂正手段をさらに設けたことを特徴とする前記（１７）に記載の情報再生システム。
【０１３１】
即ち、各素子部品毎に部品選別基準が設定される。
【０１３２】
従って、誤り訂正を入れることで、それまでの欠陥の影響を排除できる。
【０１３３】
（２０）  前記読取手段、処理手段、及び出力手段がそれぞれ有する複数の機能を、前記各素子が許容できる所定の欠陥率で分類し、より近い欠陥率で分類された各分類毎の複数の機能を前記素子毎の同一半導体基板上に設けることを特徴とする前記（１７）に記載の情報再生システム。
【０１３４】
即ち、選別基準別に回路が分類され、ＩＣ化される。
【０１３５】
従って、基準の違う回路部分が同一ＩＣ上にないので、基準のきびしい部分のために判定不合格になり、基準のゆるい合格部分が無駄になることがない。
【０１３６】
（２１）  前記読取手段、処理手段、及び出力手段が有する複数の機能は、コード撮像機能、アナログ・ディジタル変換機能、信号記憶（メモリ）機能、信号復調機能、エラー訂正機能、信号出力機能、インタフェース機能の少なくとも一つを含むことを特徴とする前記（２０）に記載の情報再生システム。
【０１３７】
即ち、選別基準別に回路が分類され、ＩＣ化される。
【０１３８】
従って、基準の違う回路部分が同一ＩＣ上にないので、基準のきびしい部分のために判定不合格になり、基準のゆるい合格部分が無駄になることがない。
【０１３９】
（２２）  手動走査可能なコード読取部と、
情報処理機器と、
前記情報処理機器の拡張スロットに設置され、前記コード読取部よりデータを入力し、復調／処理するためのカード型基板と、
前記コード読取部とカード型基板との間に設けられたワイヤレスデータ送受信手段と、
を具備することを特徴とする情報再生システム。
【０１４０】
即ち、処理回路が小型のカード基板上に実装されると共に、この処理回路と読取部とがワイヤレスで接続される。
【０１４１】
従って、処理回路がパーソナルコンピュータ等の情報処理機器本体と一体化されるので、全体で小型化が実現される。特に、ノート型のパーソナルコンピュータ、ワードプロセッサ等の情報処理端末と組み合わせてコンパクトなシステムができる。また、読取部が処理回路（処理部）と切り離されるので、ケーブルが絡む等の不便さがなく、走査が非常に容易となる。
【０１４２】
（２３）  手動走査可能なコード読取部と、
情報処理機器と、
前記情報処理機器の拡張スロットに設置され、前記コード読取部よりデータを入力し、復調／処理する処理部と、
を具備し、
前記コード読取部と処理部間にワイヤレスのデータ転送機能を備えることを特徴とする情報再生システム。
【０１４３】
即ち、読取部と処理部とがワイヤレスで接続され、また処理部は情報処理機器のインタフェースに接続される。
【０１４４】
従って、読取部が処理部と切り離されるので、ケーブルが絡む等の不便さがなく、走査が非常に容易となる。また、情報処理機器のインタフェースに接続されるので、新たなボード追加の必要がない。
【０１４５】
（２４）  手動走査可能なコード読取部と、
テレビジョン受像機と、
前記テレビジョン受像機に接続され、テレビジョン用の音声及び映像信号出力機能を持つゲーム機器と、
前記ゲーム機器に接続され、前記コード読取部からのデータを入力して復調／処理する処理部と、
前記コード読取部と処理部との間に設けられたワイヤレスでのデータ送受信手段と、
を具備することを特徴とする情報再生システム。
【０１４６】
即ち、ゲーム機器を経由してテレビジョン受像機に出力すると共に、処理部はゲーム機器のカセットに実装し、映像化の機能は、ゲーム機器のそれを利用する。
【０１４７】
従って、ゲーム機器、テレビジョン受像機共に普及しているので、ユーザは新たな装置の購入が少なくて済む。また、映像化の機能はゲーム機器が受け持つので、復調・処理部の回路量が減り、コストが下がる。さらに、読取部と処理部とが切り離されるので、ケーブルが絡む等の不便さがなく、操作が非常に容易となる。
【０１４８】
（２５）  手動走査可能なコード読取及び処理部と、ラジオ機器とを具備し、前記コード読取及び処理部は、前記ラジオ機器が受信可能に、復調／処理した音声信号を送信する送信機能を備えることを特徴とする情報再生システム。
【０１４９】
即ち、ラジオ機器とコード読取及び処理部とがワイヤレスで接続される。
【０１５０】
従って、ラジオ機器は広く普及しているので、ユーザは新たな装置の購入が少なくて済む。また、音声化の機能はラジオ機器が受け持つので、コード読取及び処理部の回路量が減り、コストが下がる。さらには、コード読取及び処理部と音声再生部とが切り離されるので、操作が非常に容易（ケーブルが絡む等の不便さがない）となるだけでなく、音声再生部を離れたところにも設置できるようになる。
【０１５１】
（２６）  手動走査可能なコード読取部と、
前記コード読取部からのデータを復調／処理し、音声信号を得る処理部と、
前記処理部からの音声信号を受信する受信ユニットと、
前記受信ユニットに接続された電気／音声変換手段と、
前記処理部と受信ユニットとの間に設けられたワイヤレスでのデータ送受信手段と、
を具備することを特徴とする情報再生システム。
【０１５２】
即ち、処理部と再生部（受信ユニット、電気／音声変換手段つまりヘッドホン）がワイヤレスで接続される。
【０１５３】
従って、全体に小型になり、身体に装着して移動が可能となる。また、コード読取部及び処理部と、再生部とがワイヤレスで接続されるので、身体の動きが制限されない。
【０１５４】
（２７）  手動走査可能なコード読取及び処理部と、音楽情報媒体再生機器とを具備し、
前記コード読取及び処理部は、復調／処理した音声信号を、前記音楽情報媒体再生機器の外部入力端子に出力することを特徴とする情報再生システム。
【０１５５】
即ち、ＣＤ，カセットテープ等の音楽情報媒体から音楽を再生する音楽情報媒体再生機器７０を通して再生する（アンプ機能を利用する）。
【０１５６】
従って、ヘッドホンを含む音楽情報媒体再生機器を利用することで、ユーザは新たな装置の購入が少なくて済む。また、音声化の機能の一部を音楽情報媒体再生機器が受け持つので、コード読取及び処理部の回路量が減り、コストが下がる。
【０１５７】
（２８）  手動走査可能なコード読取及び処理部と、
前記コード読取及び処理部で復調／処理された音声信号を受信する受信ユニットと、
前記受信ユニットに接続された電気／音声変換手段と、
前記コード読取及び処理部と受信ユニットとの間に設けられたワイヤレスでの音声信号送受信手段と、
を具備することを特徴とする情報再生システム。
【０１５８】
即ち、コード読取及び処理部と、再生部（受信ユニットと電気／音声変換手段つまりヘッドホン）とがワイヤレスで接続される。
【０１５９】
従って、全体に小型になり、身体に装着して移動が可能になる。また、コード読取及び処理部と再生部とがワイヤレスで接続されるので、身体の動きが制限されない。
【０１６０】
（２９）  手動走査可能なコード読取及び処理部と、
磁気テープ再生機器と、
前記コード読取及び処理部で復調／処理した音声信号を受信し、前記磁気テープ再生機器の再生ヘッドに磁気カップリングで音声信号を出力する受信アダプタと、
前記コード読取及び処理部と受信アダプタの間に設けられたワイヤレスでの音声信号送受信手段と、
を具備することを特徴とする情報再生システム。
【０１６１】
即ち、磁気テープ再生機器の再生ヘッドに磁気カップリングで音声信号を出力する受信アダプタを利用し、音声化の機能の一部を磁気テープ再生機器で代替する。
【０１６２】
従って、ヘッドホンを含む磁気テープ再生機器を利用することで、ユーザは新たな装置の購入が少なくて済む。また、音声化の機能の一部を磁気テープ再生機器が受け持つので、コード読取及び処理部内に実装される復調及び処理回路部の回路量が減り、コストが下がる。さらには、コード読取及び処理部が再生部分と切り離されるので、ケーブルが絡む等の不便さがなく、操作が非常に容易となる。
【０１６３】
（３０）  手動走査可能なコード読取部と、
磁気テープ再生機器と、
前記コード読取部からのコードに対応する信号を受信し、復調／処理して音声信号を得、前記磁気テープ再生機器の再生ヘッドに磁気カップリングで音声信号を出力する受信アダプタと、
前記コード読取及び処理部と受信アダプタの間に設けられたワイヤレスでの信号送受信手段と、
を具備することを特徴とする情報再生システム。
【０１６４】
即ち、磁気テープ再生機器の再生ヘッドに磁気カップリングで音声信号を出力する受信アダプタを利用し、音声化の機能の一部を磁気テープ再生機器で代替する。
【０１６５】
従って、ヘッドホンを含む磁気テープ再生機器を利用することで、ユーザは新たな装置の購入が少なくて済む。また、音声化の機能の一部を磁気テープ再生機器が受け持つので、受信アダプタ内に実装される復調及び処理回路部の回路量が減り、コストが下がる。さらには、コード読取部が再生部分切り離されるので、ケーブルが絡む等の不便さがなく、操作が非常に容易となる。
【０１６６】
【発明の効果】
以上詳述したように、本発明によれば、小型化並びに低価格化を図った情報再生システムを提供することができる。
【０１６７】
さらに、本発明によれば、手動走査を行う読み取り部の主要部をユニット化し、種々の外形のシステムに共通化して使用できるようにして、部品点数の削減並びに量産効果による低価格化をさらに図ることもできる。
【図面の簡単な説明】
【図１】（Ａ）は本発明の一実施の形態に係る情報再生システムに用いられる読み取り部の構成を示す図、（Ｂ）乃至（Ｄ）はそれぞれハイブリッドＩＣ化された基板ユニットを示す図である。
【図２】（Ａ）は光学系を示す図であり、（Ｂ）はハンドヘルド型の読み取り部の外観を示す図である。
【図３】（Ａ）及び（Ｂ）はそれぞれマウス型の読み取り部の外観及び内部構造を示す図である。
【図４】（Ａ）及び（Ｂ）はそれぞれ一実施の形態に係る情報再生システムの例を示すシステム外観図である。
【図５】（Ａ）及び（Ｂ）はそれぞれ一実施の形態に係る情報再生システムの例を示すシステム外観図である。
【図６】（Ａ）及び（Ｂ）はそれぞれ一実施の形態に係る情報再生システムの例を示すシステム外観図である。
【図７】（Ａ）乃至（Ｃ）はそれぞれ一実施の形態に係る情報再生システムの例を示すシステム外観図である。
【図８】（Ａ）及び（Ｂ）はそれぞれ一実施の形態に係る情報再生システムの例を示すシステム外観図である。
【図９】（Ａ）は一実施の形態に係る情報再生システムの例を示すシステム外観図であり、（Ｂ）は撮像素子のブロック構成を示す図である。
【図１０】（Ａ）及び（Ｂ）はそれぞれ一実施の形態に係る情報再生システムの例を示すシステム外観図である。
【図１１】一実施の形態に係る情報再生システムのブロック構成図である。
【図１２】情報再生システムの変形例を説明するためのブロック構成図である。
【符号の説明】
１０      読み取り部
１２      ペン型筐体
１４      基板
１６      撮像素子
１８，２０      ＩＣチップ
２２      光学系
１９２      データ列調整部
１９４      データエラー訂正部
２０４      撮像部
２１４      画像メモリ
２３４      データメモリ部
【図１】
0003579393.tif 000002
【図２】
0003579393.tif 000003
【図３】
0003579393.tif 000004
【図４】
0003579393.tif 000005
【図５】
0003579393.tif 000006
【図６】
0003579393.tif 000007
【図７】
0003579393.tif 000008
【図８】
0003579393.tif 000009
【図９】
0003579393.tif 000010
【図１０】
0003579393.tif 000011
【図１１】
0003579393.tif 000012
【図１２】
0003579393.tif 000013